(57)【特許請求の範囲】
【請求項１】
底板２外周から上面開口の周壁３を起立するケース体１と、
該ケース体内へ着脱自在に嵌合させた、口頸部13を起立する内容物収納用容器体11と、
上記ケース体１上面へ着脱自在に取り付けた、縦形手動ポンプ22付きの蓋部材21とからなり、
上記蓋部材21から垂下する、上記ポンプ22のシリンダ29下部は、容器体口頸部13の内面へ気密に嵌合させてあり、
ケース体周壁３の一部外面へ、上面開口の鞘管４を縦設して、該鞘管内へ上下動及び回動可能に蓋部材21から垂下させた軸棒37を嵌合させることにより、上記蓋部材21を引き上げかつ回動させることで、上記ケース体１上面を開放可能に構成したことを特徴とする、縦形ポンプ付き容器。
【請求項２】
上記鞘管４には、垂直部5a上端をほぼ水平に屈曲させた形状のガイド孔５を穿設して、該ガイド孔内へ軸棒37に付設した係合突子38を摺動自在に嵌合させており、
上記ケース体１から蓋部材21を引上げ、かつ、軸棒37を中心として回動させることで係合突子38がガイド孔５の水平部5b内へ位置して、該位置で蓋部材21が停止可能となし、
又、該停止状態から軸棒37を中心として蓋部材21を回して係合突子38をガイド孔垂直部5a上端まで移動させ、該位置から蓋部材21を下降させることで、該蓋部材がケース体上面を閉塞すると共に、シリンダ下部が容器体口頸部13内面へ気密に嵌合可能に形成したことを特徴とする、請求項１記載の縦形ポンプ付き容器。
【請求項３】
上記シリンダ29の下端から吸上げ管34を容器体11の上部内に垂下すると共に、該容器体の胴部12及び底部14の前後ないし左右方向各半部を、内容物の吸上げにより他半胴部側内方へ収縮可能な薄肉部15に形成したことを特徴とする請求項２記載の縦形ポンプ付き容器。
【請求項４】
上記シリンダ29の下部を下方小径のテーパ筒33に形成し、該テーパ筒外面を上記容器体口頸部13内面の上端部を嵌合させたことを特徴とする、請求項２又は請求項３記載の縦形ポンプ付き容器。
【発明の詳細な説明】
【０００１】
【発明の属する技術分野】
本願発明は、縦形ポンプ付き容器に関する。
【０００２】
【従来の技術】
例えば、特願平10-323585 号に示す如く、上面開口のケース体内へ嵌挿された、交換用容器体の胴部から肩部を介して口頸部を起立すると共に、上記肩部上へ係止させた内フランジを上端部に有する抜止め筒を、ケース体上端部外面に嵌合させ、かつ、上記口頸部外面へ螺合した取付筒上端部から押下げポンプのシリンダを容器体内へ垂設してなる縦形ポンプ付き容器が知られている。
【０００３】
【発明の解決しようとする課題】
上記容器は、抜止め筒を外して容器体を取り出した後に、該容器体口頸部から取付筒を螺脱させることでポンプを取り外して、新たな容器体へ付け替える必要があり、容器体の着脱の際に重ねて取付筒の螺脱・螺着作業を行わなければならないため、取扱いが面倒であった。
【０００４】
本願発明の容器は、ケース体の周壁一部に縦設した上端開口の鞘管内へ、縦形手動ポンプ付きの蓋部材の一部から垂下した軸棒を上下動及び回動自在に嵌合させると共に、上記ポンプの下部を、ケース体内に収納した交換用容器体の口頸部内へ気密に嵌合させ、上記蓋部材の引上げ及び押下げによりポンプ下部を口頸部とを分離、連結可能とすると共に、引上げ状態では、軸棒を中心に回動させることで蓋部材をケース体上方から外れた位置へ移動させることが可能とし、該状態でケース体内の容器体の交換が可能としたものである。
【０００５】
【課題を解決するための手段】
第１の手段は、底板２外周から上面開口の周壁３を起立するケース体１と、
該ケース体内へ着脱自在に嵌合させた、口頸部13を起立する内容物収納用容器体11と、
上記ケース体１上面へ着脱自在に取り付けた、縦形手動ポンプ22付きの蓋部材21とからなり、
上記蓋部材21から垂下する、上記ポンプ22のシリンダ29下部は、容器体口頸部13の内面へ気密に嵌合させてあり、
ケース体周壁３の一部外面へ、上面開口の鞘管４を縦設して、該鞘管内へ上下動及び回動可能に蓋部材21から垂下させた軸棒37を嵌合させることにより、上記蓋部材21を引き上げかつ回動させることで、上記ケース体１上面を開放可能に構成したことを特徴とする、縦形ポンプ付き容器。
【０００６】
第２の手段は、上記第１の手段を有し、かつ、上記鞘管４には、垂直部5a上端をほぼ水平に屈曲させた形状のガイド孔５を穿設して、該ガイド孔内へ軸棒37に付設した係合突子38を摺動自在に嵌合させており、
上記ケース体１から蓋部材21を引上げ、かつ、軸棒37を中心として回動させることで係合突子38がガイド孔５の水平部5b内へ位置して、該位置で蓋部材21が停止可能となし、
又、該停止状態から軸棒37を中心として蓋部材21を回して係合突子38をガイド孔垂直部5a上端まで移動させ、該位置から蓋部材21を下降させることで、該蓋部材がケース体上面を閉塞すると共に、シリンダ下部が容器体口頸部13内面へ気密に嵌合可能に形成している。
【０００７】
第３の手段は、上記第２の手段を有し、かつ、上記シリンダ29の下端から吸上げ管34を容器体11の上部内に垂下すると共に、該容器体の胴部12及び底部14の前後ないし左右方向各半部を、内容物の吸上げにより他半胴部側内方へ収縮可能な薄肉部15に形成している。
【０００８】
第４の手段は、上記第２の手段又は第３の手段を有し、かつ、上記シリンダ29の下部を下方小径のテーパ筒33に形成し、該テーパ筒外面を上記容器体口頸部13内面の上端部へ嵌合させた。
【０００９】
【発明の実施の形態】
１は、ケース体であり、底板２外周から上端開口の周壁３を起立している。尚、図示例では、該周壁を、図２の如く上記左右方向に長径を有する楕円筒形状に形成している。
【００１０】
該周壁の一部、好ましく後壁部分には、後述の係合突子付き軸棒を収納するために上端開口で直管形状の鞘管４を縦設する。該鞘管は、例えば管壁の前壁部分を上記周壁３の後壁部分外面と兼用させて形成すると良く、又、管壁上端面は、上記周壁上端面と面一とすると良い。好適な図示例では、鞘管４には、上記係合突子案内用のガイド孔５を穿設しており、該ガイド孔は、上記鞘管の一部、図示例では鞘管上半部に縦設した垂直部5aと、該垂直部上端から横設した水平部5bとにより、これら両部分内を係合突子が摺動することで後述蓋部材の引上げ及び回動が可能に設ける。該水平部5bは、鞘管４上端との間に間隙ｄを存して形成し、水平部上方の鞘管部分と軸棒下端部との嵌合により、上昇状態での蓋部材を支持可能に設けると良い。又、好適な図示例では、上記垂直部5aを、上記鞘管の左右側壁部分の一方に設けると共に、上記水平部を左右側壁部間に亘る管壁半周部分に横設しており、これにより、後述の蓋部材を図１状態から１８０度旋回することでケース体上面を完全に開口することができる。もっとも所要の旋回角度に応じて垂直部乃至水平部の穿設範囲を適宜変更しても良い。
【００１１】
11は、液体などを収納した交換用の容器体であり、該容器体は、上記ケース体１内にスライド自在に嵌挿された胴部12から小径の口頸部13を起立している。又、好適な図示の例では、上記胴部12と該胴部下面を閉塞する底部14との各後半部を、内容物の吸上げによって、図１及び図２に想像線で示す如く内方へ収縮可能な肉薄部15に形成しており、他方、上記胴部12と底部14との各前半部とは、容器自体が直立状態を保持することを可能とするために、肉厚部に形成している。
【００１２】
21は、上記ケース体１の上面へ着脱自在に取り付けた、公知の縦形手動ポンプ22付きの蓋部材である。該蓋部材は、蓋板23の周縁から垂下した短周壁24の下端を、上記ケース体周壁３上端面及び鞘管４上端面上に載置すると共に、蓋板23の前板部分を穿孔して該孔縁から口頸部25を起立している。
【００１３】
該口頸部の外面には、上記手動ポンプが有する装着筒28を嵌合させ、該装着筒上端から内向きフランジを介して容器体11内へシリンダ29を垂設すると共に、該シリンダ内から図３に示すステム30を介してノズル31付きの押下げヘッド32を起立している。尚、図１の状態では、該押下げヘッドは、シリンダ側への螺合などにより最下端位置に固定されている。又、上記シリンダ29の下部は、下端小径のテーパ筒33に形成され、該テーパ筒外面を、上記容器体口頸部13内へ液密であると同時に気密に嵌合させている。又、シリンダ29下端部からは吸上げ管34を垂下する。図示例の吸上げ管は、上記容器体後半部の収縮を妨げないように容器体11上部内に垂下されているが、容器体11底部まで垂下する構造としても良い。
【００１４】
又、上記蓋板23の後板部分裏面からは、上記鞘管４内へ上下動及び回動自在に嵌挿された軸棒37を垂下する。該軸棒は、上記蓋部材21を上昇状態で支持することが可能な強度を有するものとし、図示例では、所要強度を比較的少量の材料で得るために下端開口の管形状に形成している。
【００１５】
上記軸棒37外面には、上記ガイド孔５内へ摺動自在に嵌合された係合突子38を付設すると良い。該突子は、図１の状態でガイド孔の垂直部5a下部内に位置するように軸棒37下部外面に付設され、上記蓋部材21の引上げにより垂直部5a内を上昇し、又、軸棒37を中心とする蓋部材21の回動により水平部5b内を移動するように構成している。係合突子38のサイズは、上記ガイド孔水平部5b内に位置するときに、手動ポンプ付きの蓋部材21の重量を支えることができるような大きさとする。
【００１６】
又、図１に示す如く上記ガイド孔の垂直部5a上端から係合突子38までの距離Ｌは、吸上げ管34下端から容器体口頸部13上端までの高低差、及び、吸上げ管34下端からケース体周壁３上端までの高低差ｈの何れよりも大とするものとし、これにより、上記蓋部材21の回動の際に、吸上げ管34下端部が容器体口頸部13乃至ケース体周壁３に衝突して上記回動を妨げることを防止できる。図示例では、それら二つの高低差は同じとしてあるが、必ずしもそうである必要はない。
【００１７】
尚、上記鞘管４への軸棒37の取付けは、例えば上記係合突子38ごと軸棒の下端管壁部分を鞘管内へ強制押込みすることで行うことができる。この場合には軸棒37及び鞘管４は、上記押込みを可能する程度の弾性を有するように形成する。
【００１８】
尚、上記ガイド孔５及び係合突子38は、必ずしも形成する必要はなく、この場合、上記容器体11を交換する際には、上記蓋部材21を図４状態からケース体周壁３の後壁上面及び鞘管４の上端面へ当接するまで下降させ、該当接により支持するように設ければ良い。
【００１９】
上記ケース体１、容器体11、及び手動ポンプ付きの蓋部材21は、それぞれ合成樹脂材で形成することができる。
【００２０】
上記構成において、上記係合突子38は、図１に示す如く、ガイド孔の垂直部5a内へ係止されることで蓋部材21の回動を防止しており、又、テーパ筒33は容器体口頸部13内へ嵌合されることで該口頸部からの液洩れを阻止している。
【００２１】
図１の状態から、上記押下げヘッド32の固定状態を解除して図３の如く起立させ、該ヘッドの押下げ操作をすると、内容物を取り出すことができる。
【００２２】
この内容物を使い切った後に、上記蓋部材21を引き上げると、上記係合突子38が図３に実線で矢示する如く上記垂直部5a内を上昇して該垂直部上端へ当接し、而して、上記軸棒37を中心として上記蓋部材21を開方向へ回すと、上記係合突子38が想像線で矢示するようにガイド孔の水平部5b内を摺動することで、上記蓋部材21がケース体１上面から離脱する。該上面が完全に開放された状態で、図４に示す如く、容器体口頸部13を掴んで引き上げることで、容器体11を取出して交換することができる。該交換の際に、上記係合突子38は、上記水平部5bの下縁に係止することで、上記蓋部材21の上昇状態を保持している。
【００２３】
容器体11を交換した後、蓋部材21を所要角度分閉方向へ回してから押し下げると、上記係合突子38は、開操作における経路を逆に辿って水平部5b内から垂直部5a上端へ、かつ該上端から垂直部5a下端へと移動し、又、テーパ筒33が容器体口頸部13内へ嵌合され、その開口面を閉塞する。尚、上記蓋部材21の押下げの際に、容器体口頸部13の中心軸に対してシリンダ29の中心軸が多少ずれていても、上記口頸部13内面がテーパ筒33外側面と接触して内方へ押しやるため、上記ズレが修正され、ポンプ部材を上記口頸部13へ螺着する場合のように精確な位置合わせをする必要がない。
【００２４】
【発明の効果】
本願発明は、如上の構成であり、請求項１記載の発明によれば、蓋部材21から垂設した軸棒37を、ケース体周壁３の一部外面へ縦設させた上面開口の鞘管４内へ上下動及び回動自在に嵌合させると共に、上記蓋部材21が有する手動ポンプ22のシリンダ29下部を上記容器体11の口頸部13内へ気密に嵌合しているから、該口頸部上面を上記蓋部材の上昇により開放し、又、該部材下降により閉塞することができ、従って、既述従来の容器の如く、液体収納用容器体の交換の際に、該容器体口頸部へポンプが有する取付筒を螺合する如き手間を必要としない。
【００２５】
請求項２の発明によれば、上記鞘管４の管壁に、軸棒外面に付設した係合突子38を案内するガイド孔５を穿設すると共に、該孔を、垂直部5aの上端をほぼ水平に屈曲させた形状としたから、容器体11の交換の際、蓋部材21を上昇させて回動するだけで、係合突子38がガイド孔垂直部5a内から水平部5b内へ移動して上記蓋部材上昇状態を保持するので、蓋部材の上下動及び回動の２操作によりケース体１上面を開閉出来、蓋部材を他所に移す手間が不要となるので便利である。
【００２６】
又、請求項３の発明によれば、蓋部材21が有する手動ポンプ22の吸上げ管34を容器体11の上部内に垂下したから、吸上げ管を容器体底部へ垂下する場合に比べて、吸上げ管下端から容器体口頸部13上端及びケース体周壁３上端までの高低差を小とすることで、図１状態におけるガイド孔垂直部5a上端と係合突子38との間の距離も小とすることができ、従って図３に示す上昇状態での蓋部材21の位置が高くなり過ぎて容器の安定性を損なうことを防止することができる。
【００２７】
又、請求項４の発明によれば、上記シリンダ29の下部を、下方小径のテーパ筒33に形成し、該テーパ筒外面へ上記容器体口頸部13上端部を嵌合可能に構成したから、該口頸部の中心軸に対してシリンダ29の中心軸が多少ずれていても、口頸部13内面がテーパ筒33の外側面と接触して内方へ押しやることで上記ズレが修正されるので、口頸部に対してシリンダ29を厳格に位置合わせする必要が無い。
【図面の簡単な説明】
【図１】  本願容器の縦断面図である。
【図２】  図１容器のＡ−Ａ線横断面図である。
【図３】  図１容器の使用状態の斜視図である。
【図４】  図１容器の蓋部材上昇時における斜視図である。
【符号の説明】
１…ケース体        ２…底板          ３…周壁        ４…鞘管
５…ガイド孔        5a…垂直部        5b…水平部      11…容器体
12…胴部            13…口頸部        14…底部        15…肉薄部
21…蓋部材          22…手動ポンプ    23…蓋板        24…短周壁
25…口頸部          28…装着筒        29…シリンダ    30…ステム
31…ノズル          32…押下げヘッド  33…テーパ筒    34…吸上げ管
37…軸棒            38…係合突子
【図１】
0003915004.tif 000002
【図２】
0003915004.tif 000003
【図３】
0003915004.tif 000004
【図４】
0003915004.tif 000005